(57)【要約】【課題】複数の制御部材を制御ボックス内へ組み込んでモジュール化した電気毛布の温度制御モジュールを提供する。【解決手段】電気毛布の温度制御モジュールは、加熱線１、制御ユニット２及びプッシュスイッチ３を備える。加熱線１は、電気毛布４に内蔵される。制御ユニット２は、電気毛布４に固着されるとともに制御ボックスを含む。制御ボックス内には、基板が設けられる。基板には、コネクタ部材が取り付けられる。プッシュスイッチ３は、制御ユニット２から離れて配置され、電気毛布４に固着されるとともにスイッチ本体を有し、スイッチ本体内に設けられた基板上には、押ボタン及び温度表示部が配置される。【選択図】図１
2014089519.tif 000002
【特許請求の範囲】
【請求項１】
加熱線、制御ユニット及びプッシュスイッチを備えた電気毛布の温度制御モジュールであって、
前記加熱線は、電気毛布に内蔵され、
前記制御ユニットは、前記電気毛布に固着されるとともに制御ボックスを含み、前記制御ボックス内には、基板が設けられ、前記基板には、コネクタ部材が取り付けられ、前記基板上には、前記コネクタ部材に電気的に接続されたサイリスタが取り付けられ、前記サイリスタは、導線を介して前記加熱線に電気的に接続され、前記基板上に取り付けられたマイクロプロセッサが前記サイリスタに電気的に接続され、前記基板、前記コネクタ部材、前記サイリスタ及び前記マイクロプロセッサを前記制御ボックス内に取り付けてモジュール化し、前記マイクロプロセッサは、導線を介して前記プッシュスイッチの基板に電気的に接続され、前記サイリスタと前記加熱線とを接続する導線と、前記マイクロプロセッサと前記プッシュスイッチとを接続する導線とが前記電気毛布に内蔵され、
前記プッシュスイッチは、前記制御ユニットから離れて配置され、前記電気毛布に固着されるとともにスイッチ本体を有し、前記スイッチ本体内に設けられた前記基板上には、押ボタン及び温度表示部が配置されることを特徴とする、
電気毛布の温度制御モジュール。
【請求項２】
前記制御ユニットの前記制御ボックス内の前記基板上には、電源降圧部が取り付けられ、前記電源降圧部は、前記コネクタ部材に電気的に接続されるとともに、前記電気毛布に内蔵された前記導線を介して前記プッシュスイッチの前記基板に電気的に接続されていることを特徴とする請求項１に記載の電気毛布の温度制御モジュール。
【発明の詳細な説明】
【技術分野】
【０００１】
本発明は、電気毛布の温度制御モジュールに関し、特に、複数の制御部材を制御ボックス内へ組み込んでモジュール化した電気毛布の温度制御モジュールに関する。
【背景技術】
【０００２】
従来市販されている電気毛布６には、主に商用電源へ差し込む電源ケーブル６１と、ブランケット６２に内蔵された加熱線６３との間に制御ボックス６４が取り付けられているものがある。制御ボックス６４には、押ボタン、ダイヤル式スイッチなどが設けられ、制御ボックス６４内の制御回路に供給される商用電源の電流の大きさを押ボタン又はダイヤル式スイッチにより調整し、加熱線６３内の電熱線から放出される熱を制御する。図７を参照する。
図７に示すように、もう一つの従来の電気毛布７は、商用電源に差込む電源ケーブル７１と、ブランケット７２に内蔵された加熱線７３との間に制御ボックス７４が取り付けられている。制御ボックス７４と電源ケーブル７１との間に、電圧が不安定な交流電気により制御ボックス７４内の回路が損壊されることを防ぐために、交流電力を直流電力へ変換するＡＣアダプタ７５を備えているものさえあった。
【０００３】
しかし２種類の電気毛布６，７は、制御ボックス６４，７４及び電源ケーブル６１，７１のそれぞれが床又はテーブルに載置されて使用されるため、電気毛布の温度を調整する際、地面又はテーブルに載置された制御ボックス６４，７４を、制御ボックス６４，７４に接続された電源ケーブル６１，７１とともに床又はテーブルから手で持ち上げ、制御ボックス６４，７４に設けた押ボタン又はダイヤル式スイッチにより温度調整する必要がある。そのため、使用する際不便な上、制御ボックス６４，７４と、制御ボックス６４，７４に接続された電源ケーブル６１，７１とを合わせた全体の重量が極めて大きい。
そのため、ユーザが床又はテーブルから制御ボックス６４，７４を手で持ち上げて操作することは不便であった。
【０００４】
特許文献１では、主にシリコン制御整流器を利用して電気毛布の発熱体を制御し、温度感応手段を利用することにより電気毛布の睡眠領域を選択して温度を上げる。温度感応手段は、シリコン制御整流器の制御回路に接続され、シリコン制御整流器の伝達を制御し、睡眠領域を所望の温度に維持する。
しかし、特許文献１の制御押ボタンとプラグとの間に取り付けられた導線が、電気毛布から露出されて制御押ボタンに固着されるとともに、電気毛布から露出されて制御押ボタンに固着されている導線は、使用する際に引っ張られて損壊する虞があり、導線及びプラグが外側に垂れ下がるため運搬又は収納の際不便であり、導線及びプラグが電気毛布の外側に露出されて電気毛布に固着されているため、電気毛布の汚れを落としたり洗浄したりするのに不便であった。
【０００５】
特許文献２は、主に電気毛布を含む。この電気毛布は３つの材料接続層を含む。この材料接続層の第３の層は、第１の層と第２の層との間に形成されて加熱部材を有する。この加熱部材は、基本的に加熱する領域と協働で延ばされる。この第２の層は、十分な大きさの領域を有し、この領域により加熱装置を電気毛布として使用する際、ベッドに折り畳んで入れることができる。
第１の層は、装飾性の高いベッドカバーとして使用できる十分な広さを有する。第２の層には、所定の温度より高くなったときに電源を切断する温度保護スイッチが設けられている。第１の層には、温度選択手段が含まれる。この温度選択手段は、トランジスタ及び調整スイッチを含み、調整スイッチによりトランジスタを制御し、第１の層に設けた電源ケーブルから供給された商用電源の電流の大きさを調整した後、加熱部材へ出力する。
しかし特許文献２の電気毛布の第１の層は、電流を制御するトランジスタと、調整スイッチなどの電子部品の温度選択手段と、を含み、第１の層に取り付けて商用電源を供給する電源ケーブル全体の重量が非常に大きく、重量が大きな温度選択手段及び電源ケーブルが電気毛布へ取り付けられているため、電気毛布で覆われたユーザは重くて不便に感じる虞がある。
【０００６】
さらに特許文献１及び特許文献２で開示する技術では、ユーザが視覚により温度変化を正確に把握することができず、身体で感じる温度をユーザ自ら判断するしかなかったため不便であった。
【先行技術文献】
【特許文献】
【０００７】
【特許文献１】米国特許第３４２２２４４号明細書
【特許文献２】米国特許第３４３７７９２号明細書
【発明の概要】
【発明が解決しようとする課題】
【０００８】
本発明の目的は、複数の制御部材を制御ボックス内へ組み込んでモジュール化した電気毛布の温度制御モジュールを提供することにある。
【課題を解決するための手段】
【０００９】
上記課題を解決するために、本発明の電気毛布の温度制御モジュール第１の形態は次の構成からなる。
加熱線、制御ユニット及びプッシュスイッチを備えた電気毛布の温度制御モジュールであって、前記加熱線は、電気毛布に内蔵され、前記制御ユニットは、前記電気毛布に固着されるとともに制御ボックスを含む。
前記制御ボックス内には、基板が設けられ、前記基板には、コネクタ部材が取り付けられ、前記基板上には、前記コネクタ部材に電気的に接続されたサイリスタが取り付けられ、前記サイリスタは、導線を介して前記加熱線に電気的に接続され、前記基板上に取り付けられたマイクロプロセッサが前記サイリスタに電気的に接続される。
前記基板、前記コネクタ部材、前記サイリスタ及び前記マイクロプロセッサを前記制御ボックス内に取り付けてモジュール化し、前記マイクロプロセッサは、導線を介して前記プッシュスイッチの基板に電気的に接続され、前記サイリスタと前記加熱線とを接続する導線と、前記マイクロプロセッサと前記プッシュスイッチとを接続する導線とが前記電気毛布に内蔵される。
前記プッシュスイッチは、前記制御ユニットから離れて配置され、前記電気毛布に固着されるとともにスイッチ本体を有し、前記スイッチ本体内に設けられた前記基板上には、押ボタン及び温度表示部が配置されることを特徴とする。
【００１０】
また、前記制御ユニットの前記制御ボックス内の前記基板上には、電源降圧部が取り付けられ、前記電源降圧部は、前記コネクタ部材に電気的に接続されるとともに、前記電気毛布に内蔵された前記導線を介して前記プッシュスイッチの前記基板に電気的に接続されていることが好ましい。
【発明の効果】
【００１１】
本発明の電気毛布の温度制御モジュールは、制御ユニットとプッシュスイッチとを離して配置し、ユーザが手で触り易いようにプッシュスイッチを電気毛布の上側へ設けて便利に使用できるようにするとともに、プッシュスイッチに設けた温度表示部により温度変化が表示されるため、ユーザは温度を調節する際に温度変化を正確に把握し、温度調整を簡便に行うことができる。
【図面の簡単な説明】
【００１２】
【図１】本発明の一実施形態に係る電気毛布の温度制御モジュールを示す斜視図である。
【図２】本発明の一実施形態に係る電気毛布の温度制御モジュールを示す部分拡大図である。
【図３】本発明の一実施形態に係る電気毛布の温度制御モジュールを示す回路図（１）である。
【図４】本発明の一実施形態に係る電気毛布の温度制御モジュールを示す回路図（２）である。
【図５】本発明の他の実施形態に係る電気毛布の温度制御モジュールを示す斜視図である。
【図６】従来技術の斜視図（１）である。
【図７】従来技術の斜視図（２）である。
【発明を実施するための形態】
【００１３】
図１を参照する。図１に示すように、本発明の一実施形態に係る電気毛布の温度制御モジュールは、少なくとも加熱線１、制御ユニット２及びプッシュスイッチ３から構成される。
【００１４】
加熱線１は、電気毛布４に内蔵される。電気毛布４は、電気マット（ｍａｔｔｒｅｓｓ）、一人用又は二人用の一般の電気毛布（ｂｌａｎｋｅｔ）、小型電気毛布（ｗａｒｍｉｎｇ  ｔｈｒｏｗ）（図５参照）などでもよい。
【００１５】
図２及び図３又は図４を参照する。図に示すように、制御ユニット２は、電気毛布４上に固着される。制御ユニット２が電気毛布４に固着される箇所は、底側であることが好ましい。制御ユニット２には、制御ボックス２０が設けられ、制御ボックス２０内に基板２１が設けられる。基板２１上には、プラグ受け又はプラグであるコネクタ部材２２が取り付けられるとともに、電源降圧部２３が取り付けられる。
電源降圧部２３は、コネクタ部材２２に電気的に接続されるとともに、導線２６を介してプッシュスイッチ３の基板３１に電気的に接続され、制御ユニット２の基板２１にサイリスタ２４が取り付けられてサイリスタ２４とコネクタ部材２２とが電気的に接続される。コネクタ部材２２に供給される交流電力又は直流電力に応じ、サイリスタ２４を交流電源に適用するシリコン制御整流器（Ｓｉｌｉｃｏｎ  Ｃｏｎｔｒｏｌｌｅｄ  Ｒｅｃｔｉｆｉｅｒ：ＳＣＲ）２４１（図３参照）として用いたり、直流電源に適用するＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）２４２（図４参照）として用いたりしてもよい。
サイリスタ２４は、導線２７を介して加熱線１に電気的に接続されるとともに、基板２１上に取り付けられたマイクロプロセッサ２５に電気的に接続される。マイクロプロセッサ２５は、導線２８を介してプッシュスイッチ３の基板３１に電気的に接続され、プッシュスイッチ３に接続された導線２６，２８と、加熱線１に接続された導線２７とを電気毛布４に内蔵させる。この構成により、基板２１、コネクタ部材２２、電源降圧部２３、サイリスタ２４、マイクロプロセッサ２５などの制御素子が制御ボックス２０内にそれぞれ取り付けられてモジュール化される。
【００１６】
プッシュスイッチ３は、制御ユニット２から離れて配置され、かつ、電気毛布４上に固着される。電気毛布４に固着される箇所は上側であることが好ましい。プッシュスイッチ３内には、基板３１が配置される。基板３１上には、押ボタン３２及び温度表示部３３が電気的に接続されて配置される。温度表示部３３は、液晶表示スクリーン、ニキシー（登録商標）管、長尺状の表示ランプ、温度順に配列された複数の発光体、温度に応じて色が変化する発光体などでもよい。
【００１７】
図１を再び参照する。図１に示すように、実際に使用する際、本発明の一実施形態に係る電気毛布の温度制御モジュールは、制御ユニット２に設けられたコネクタ部材２２に、電源ケーブル５の一方の端部に設けられたコネクタ５１が差し込まれ、電源ケーブル５の他方の端部に設けられたコネクタ５２が商用電源のプラグ受けに差し込まれる。必要に応じて電源ケーブル５のコネクタ５１と、コネクタ５２との間にＡＣアダプタ５３を取り付ける。
ユーザは本実施形態の電気毛布４を被せて保温したり防寒したりする際、図２及び図３又は図４に示すように、電気毛布４の上側に設けたプッシュスイッチ３の押ボタン３２を押圧する。押ボタン３２を約３秒以上押し続けると、押ボタン３２に取り付けられた基板３１により、長く押し続けることにより発生した信号を導線２８を介して制御ユニット２のマイクロプロセッサ２５へ伝送し、マイクロプロセッサ２５により電気的に接続されたサイリスタ２４をオンする。これにより、電流がコネクタ部材２２からサイリスタ２４を通り、導線２７を介して加熱線１まで流れ、加熱線１により電流が熱エネルギに変換され、電気毛布４により覆われたユーザの体を温めることができる。
【００１８】
ユーザは、プッシュスイッチ３の押ボタン３２を押して制御ユニット２のマイクロプロセッサ２５によりサイリスタ２４をオンした後、マイクロプロセッサ２５も、サイリスタ２４がすでにオンしたランプの調整信号をフィードバックし、導線２８を介してプッシュスイッチ３の温度表示部３３を制御し、電源がオン状態であることを示すランプを制御する。
ユーザは、加熱線１が発する熱量を調整する場合、プッシュスイッチ３の押ボタン３２を短時間（約１〜２秒間）押し続ける。この際、押ボタン３２が取り付けられた基板３１は、押ボタン３２が短時間押されることにより発生した信号を導線２８を介して制御ユニット２のマイクロプロセッサ２５へ伝送し、電気的に接続されたサイリスタ２４をマイクロプロセッサ２５により再駆動して調整し、導線２７から加熱線１へ流れる電流の大きさを調整し、加熱線１から放出される熱量を変える。
これとともに、マイクロプロセッサ２５は、サイリスタ２４がすでに変化したランプの調整信号をフィードバックし、導線２８によりプッシュスイッチ３の温度表示部３３を制御し、加熱線１の温度がすでに変化したことを表すランプを点灯させる。この構成により、ユーザがプッシュスイッチ３の押ボタン３２を短時間押す回数に応じ、マイクロプロセッサ２５は、サイリスタ２４に通電される電流を制御し、加熱線１から放出される熱量を変える。さらに、この変化をプッシュスイッチ３の温度表示部３３へフィードバックし、プッシュスイッチ３の温度表示部３３により、加熱線１の高温、中温、低温などの熱エネルギの違いに応じてランプを点灯させてもよい。
【００１９】
加熱線１の動作を停止させる場合、プッシュスイッチ３の押ボタン３２をユーザが長く押し続けると、基板３１及び導線２８を介し、長く押し続けることにより生じた信号が制御ユニット２のマイクロプロセッサ２５へ伝送される。マイクロプロセッサ２５は、長く押し続けて発生した２回目の信号を受信すると、電気的に接続されたサイリスタ２４がオフとなり、コネクタ部材２２からサイリスタ２４及び導線２７を介して加熱線１まで流れる電流を止める。
これにより、マイクロプロセッサ２５により、サイリスタ２４がすでにオフされたランプの調整信号をプッシュスイッチ３へフィードバックし、プッシュスイッチ３の温度表示部３３の表示をオフする。この構成により、ユーザは、プッシュスイッチ３の温度表示部３３の表示状態から加熱線１のオンオフ状態、温度調整などの状態を把握し、オンオフを制御したり温度を調整したりすることができる。
【００２０】
上述したことから分かるように、本発明の電気毛布の温度制御モジュールは、電気毛布４の上側など、ユーザが押し易い箇所にプッシュスイッチ３を取り付けられるため、ユーザがベッドに横たわりながら加熱線１をオンオフしたり加熱線１から放出される熱を調整したりする際、電気毛布４の上側に設けたプッシュスイッチ３を手で触って電気毛布４をオンオフしたり温度を調整したりすることができる。
また、導線２６，２７，２８が電気毛布４に内蔵されているため、簡便に使用したり運搬したり収納したりすることができ、プッシュスイッチ３に設けた温度表示部３３によりユーザが温度調整を行う際、対応して表示変化が発生するため、ユーザは視覚により温度変化を正確に把握し、温度調整を簡便に行うことができる。
【００２１】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００２２】
１  加熱線
２  制御ユニット
３  プッシュスイッチ
４  電気毛布
５  電源ケーブル
６  電気毛布
７  電気毛布
２０  制御ボックス
２１  基板
２２  コネクタ部材
２３  電源降圧部
２４  サイリスタ
２５  マイクロプロセッサ
２６  導線
２７  導線
２８  導線
３０  スイッチ本体
３１  基板
３２  押ボタン
３３  温度表示部
５１  コネクタ
５２  コネクタ
５３  ＡＣアダプタ
６１  電源ケーブル
６２  ブランケット
６３  加熱線
６４  制御ボックス
７１  電源ケーブル
７２  ブランケット
７３  加熱線
７４  制御ボックス
７５  ＡＣアダプタ
２４１  シリコン制御整流器
２４２  ＭＯＳＦＥＴ
【図１】
2014089519.tif 000003
【図２】
2014089519.tif 000004
【図３】
2014089519.tif 000005
【図４】
2014089519.tif 000006
【図５】
2014089519.tif 000007
【図６】
2014089519.tif 000008
【図７】
2014089519.tif 000009